(57)【要約】【課題】  自動的に点欠陥や線欠陥などの検査項目を検査するとともに、困難な表示ムラ検出・判定処理を必要とせずに表示ムラの検出・判定の精度を向上可能なディスプレイパネル自動検査装置を提供する。【解決手段】  画像処理回路４は画像データをもとに表示ムラ以外の所定の検査項目検出のための画像処理を行い、判定回路５は画像処理回路４の処理結果から欠陥を判定し、画像処理回路６は、画像データをもとに表示ムラが顕著になるような画像処理を行い表示装置６ａに出力する。これにより、検査者の目視による表示ムラの検出・判定が精度よく簡単に行えるようになる。【選択図】  図１
2006329964.tif 000002
【特許請求の範囲】
【請求項１】
ディスプレイパネルの表示を撮像して取得した画像データをもとに前記ディスプレイパネルの異常を検査するディスプレイパネル自動検査装置において、
前記画像データをもとに表示ムラ以外の所定の検査項目検出のための画像処理を行う第１の画像処理部と、
前記第１の画像処理部の処理結果から欠陥を判定する欠陥判定部と、
前記画像データをもとに前記表示ムラが顕著になるような画像処理を行い表示装置に出力する第２の画像処理部と、
を有することを特徴とするディスプレイパネル自動検査装置。
【請求項２】
前記所定の検査項目は、点欠陥または線欠陥であることを特徴とする請求項１記載のディスプレイパネル自動検査装置。
【請求項３】
前記第２の画像処理部は、前記画像データのコントラストを上げることで前記表示ムラが顕著になるようにすることを特徴とする請求項１記載のディスプレイパネル自動検査装置。
【発明の詳細な説明】
【技術分野】
【０００１】
本発明はディスプレイパネル自動検査装置に関し、特にディスプレイパネルの異常を検査するディスプレイパネル自動検査装置に関する。
【背景技術】
【０００２】
従来、液晶パネルなどのディスプレイパネル上の輝点や黒点などの点欠陥、線欠陥、表示ムラを検出するために、例えば以下のような欠陥検出方法が知られている。
図２は、従来のディスプレイパネル自動検査装置の構成を示す図である。
【０００３】
従来のディスプレイパネル自動検査装置は、ステージ１１に設置された液晶パネルなどのディスプレイパネル１２の表示を撮像して画像データを得るＣＣＤカメラ１３と、ＣＣＤカメラ１３で取得した画像データをもとに、点欠陥、線欠陥、表示ムラなどを検出するための画像処理を行う画像処理回路１４と、画像処理の結果により欠陥を判定する判定回路１５と、を有している。
【０００４】
ＣＣＤカメラ１３はディスプレイパネル１２の解像度より高いものが用いられ、ここで撮像されて取得した画像データは画像処理回路１４に送られる。画像処理回路１４では、例えばノイズを除去したのち画像データ（輝度データ）を２値化し、判定回路１５は２値化したデータにより、明点のデータまたはデータ群を点欠陥、線欠陥として判定する。また、表示ムラも同様に画像処理回路１４にてノイズ除去したのち、判定回路１５にて所定のしきい値との比較を行うことで表示ムラか否かを判定していた。
【０００５】
このようにすることで、ディスプレイパネルの異常のうち、点欠陥または線欠陥は比較的正確に検出・判定が可能であった。
なお、点欠陥や線欠陥の検出結果を表示装置などに表示することは、例えば特許文献１に開示されている。
【特許文献１】特開２００１−２２８０５０号公報（段落番号〔００２３〕）
【発明の開示】
【発明が解決しようとする課題】
【０００６】
しかし、画像データに重畳されたノイズを完全に除去することは困難であることから、特に表示ムラの検出・判定の際のしきい値設定が難しくなり、精度よく自動的に表示ムラを検出し判定することは困難であった。
【０００７】
本発明はこのような点に鑑みてなされたものであり、自動的に点欠陥や線欠陥などの検査項目を検査するとともに、困難な表示ムラ検出・判定処理を必要とせずに表示ムラの検出・判定の精度を向上可能なディスプレイパネル自動検査装置を提供することを目的とする。
【課題を解決するための手段】
【０００８】
本発明では上記問題を解決するために、ディスプレイパネルの表示を撮像して取得した画像データをもとに前記ディスプレイパネルの異常を検査するディスプレイパネル自動検査装置において、図１に示すように、画像データをもとに表示ムラ以外の所定の検査項目検出のための画像処理を行う第１の画像処理部（画像処理回路４）と、第１の画像処理部の処理結果から欠陥を判定する欠陥判定部（判定回路５）と、画像データをもとに表示ムラが顕著になるような画像処理を行い表示装置６ａに出力する第２の画像処理部（画像処理回路６）と、を有することを特徴とするディスプレイパネル自動検査装置が提供される。
【０００９】
上記の構成によれば、第１の画像処理部は画像データをもとに表示ムラ以外の所定の検査項目検出のための画像処理を行い、欠陥判定部は第１の画像処理部の処理結果から欠陥を判定し、第２の画像処理部は、画像データをもとに表示ムラが顕著になるような画像処理を行い表示装置６ａに出力する。
【発明の効果】
【００１０】
本発明は、自動的に点欠陥や線欠陥などの検査項目を検査するとともに、困難な表示ムラ検出・判定処理を行わず、表示ムラを顕著にするような画像処理を行い表示装置に出力して表示させるので、表示ムラの検出・判定を、検査者の目視により精度よく行うことができる。
【発明を実施するための最良の形態】
【００１１】
以下、本発明の実施の形態を図面を参照して詳細に説明する。
図１は、本実施の形態のディスプレイパネル自動検査装置の構成を示す図である。
ディスプレイパネル自動検査装置は、ステージ１に設置された液晶パネルなどのディスプレイパネル２の表示を撮像して画像データを取得するＣＣＤカメラ３と、ＣＣＤカメラ３で取得した画像データをもとに、点欠陥、線欠陥などの表示ムラ以外の検査項目を検出するための画像処理を行う画像処理回路４と、画像処理の結果により欠陥を判定する判定回路５と、を有している。さらに、本実施の形態のディスプレイパネル自動検査装置は、ＣＣＤカメラ３で撮像して取得した画像データをもとに表示ムラ（輝度ムラや色ムラ）が顕著になるような画像処理を行い表示装置６ａに出力する画像処理回路６を有することを特徴としている。
【００１２】
本実施の形態のディスプレイパネル自動検査装置で用いるＣＣＤカメラ３は、検査するディスプレイパネル２の解像度より高いものを用いる。
画像処理回路４は、ＣＣＤカメラ３で撮像して取得した画像データをもとに、点欠陥または線欠陥の検出処理のための画像処理を行う。例えば各種フィルタを用いてノイズを除去したり、画像データ（輝度データ）の２値化処理などを行う。
【００１３】
判定回路５は、画像処理回路４で２値化したデータにより、所定のしきい値を超える明点のデータまたはデータ群を点欠陥、線欠陥として判定する。
画像処理回路６は、ＣＣＤカメラ３で撮像して取得した画像データをもとに、表示ムラが顕著になるような画像処理、例えば、コントラストを上げるなどして、表示装置６ａに出力する。
【００１４】
このような構成のディスプレイパネル自動検査装置は、例えば、ＣＣＤカメラ３を搭載したコンピュータで実現される。判定回路５は、例えばＣＰＵ（Central Processing Unit）である。なお、画像処理回路４、６は１つのＬＳＩ（Large Scale Integrated circuit）としてもよい。
【００１５】
以下、本実施の形態のディスプレイパネル自動検査装置の動作を説明する。
ディスプレイパネル２の表示をＣＣＤカメラ３で撮像して画像データを取得すると、その画像データは画像処理回路４、６に送られる。画像処理回路４では、ノイズの除去処理及び画像データ（輝度データ）の２値化処理などを行い判定回路５に処理データを出力する。判定回路５は処理データにより、所定のしきい値と比較して明点のデータまたはデータ群を点欠陥、線欠陥として判定する。さらに、ここでの判定結果を表示装置６ａに出力して表示させるようにしてもよい。一方、ＣＣＤカメラ３からの画像データを取得した画像処理回路６では、画像データをもとに、コントラストを上げるなどして、表示ムラが顕著になるような画像処理を行い、表示装置６ａに出力して表示させる。
【００１６】
このように、比較的正確に検出・判定が可能な点欠陥または線欠陥などの表示ムラ以外の欠陥は自動的に検出・判定し、画像処理などで自動的に検出・判定が困難な表示ムラは、表示ムラが顕著になるような画像処理の後、表示装置６ａに表示するので、表示ムラの検出・判定を、検査者の目視により精度よく行えるようになる。
【図面の簡単な説明】
【００１７】
【図１】本実施の形態のディスプレイパネル自動検査装置の構成を示す図である。
【図２】従来のディスプレイパネル自動検査装置の構成を示す図である。
【符号の説明】
【００１８】
１  ステージ
２  ディスプレイパネル
３  ＣＣＤカメラ
４、６  画像処理回路
５  判定回路
６ａ  表示装置
【図１】
2006329964.tif 000003
【図２】
2006329964.tif 000004